(57)【特許請求の範囲】
【請求項１】
冷媒を加圧する圧縮機と、第１熱媒との熱交換によって冷媒を凝縮させる第１熱交換器と、第２熱媒との熱交換によって冷媒を凝縮させる第２熱交換器と、冷媒を減圧させる減圧機構と、冷媒を蒸発させる蒸発器を備えるヒートポンプと、
第１熱媒の熱を利用して室内を暖房する暖房端末と、
第１熱交換器と暖房端末との間で第１熱媒を循環させる暖房循環路と、
暖房循環路内の第１熱媒を循環させる第１ポンプと、
暖房循環路を循環する第１熱媒を加熱する熱源機と、
暖房循環路のうち、第１熱交換器の上流側と下流側とを接続し、第１熱交換器をバイパスするバイパス路と、
暖房循環路内の第１熱媒がバイパス路を流れる状態と、暖房循環路内の第１熱媒がバイパス路を流れない状態と、を切り替える切替手段と、
熱を蓄えるタンクと、
タンク内に蓄えられた熱を利用して温水を温水利用箇所に供給する供給手段と、
第２熱交換器とタンクとの間で第２熱媒を循環させるタンク循環路と、
タンク循環路内の第２熱媒を循環させる第２ポンプと、
制御装置と、を備え、
制御装置は、
ヒートポンプを動作させ、第２ポンプを動作させることによってタンク内に熱を蓄える蓄熱運転と、第１ポンプを動作させて暖房端末によって室内を暖房する暖房運転とを同時に行う場合において、
室内の温度が特定の閾値以上である第１の場合は、切替手段を暖房循環路内の第１熱媒がバイパス路を流れない状態にして、熱源機を動作させない第１の運転を実行し、
室内の温度が特定の閾値より低い第２の場合は、切替手段を暖房循環路内の第１熱媒がバイパス路を流れる状態にして、熱源機を動作させる第２の運転を実行する、
給湯暖房装置。
【請求項２】
制御装置は、
第１の運転を行う場合の第１ポンプの単位時間当たりの回転数を、第２の運転を行う場合の第１ポンプの単位時間当たりの回転数よりも少なくする、
請求項１の給湯暖房装置。
【請求項３】
制御装置は、
蓄熱運転は行わず、ヒートポンプを動作させ、第１ポンプを動作させて暖房端末によって室内を暖房する暖房運転を単独で行う場合において、
室内の温度が特定の閾値以上である第３の場合は、切替手段を暖房循環路内の第１熱媒がバイパス路を流れない状態にして、熱源機を動作させない第３の運転を実行し、
室内の温度が特定の閾値より低い第４の場合は、切替手段を暖房循環路内の第１熱媒がバイパス路を流れない状態にして、熱源機を動作させる第４の運転を実行する、
請求項１又は２の給湯暖房装置。
【請求項４】
ヒートポンプが、
室内空気との熱交換によって冷媒を凝縮させる室内空気熱交換器と、
室内空気熱交換器に供給される冷媒の流量と、第１熱交換器及び第２熱交換器に供給される冷媒の流量の割合を調整可能な調整手段と、をさらに備え、
制御装置は、
第１の場合及び第２の場合のように蓄熱運転と暖房運転を同時に行う場合における第１熱交換器及び第２熱交換器に供給される冷媒の流量の割合が、第３の場合及び第４の場合のように暖房運転を単独で行う場合における第１熱交換器及び第２熱交換器に供給される冷媒の流量の割合よりも多くなるように、調整手段を作動させる、
請求項３の給湯暖房装置。
【発明の詳細な説明】
【技術分野】
【０００１】
本発明は、給湯暖房装置に関する。
【背景技術】
【０００２】
特許文献１には、冷媒を加圧する圧縮機と、熱媒との熱交換によって冷媒を凝縮させる熱交換器と、冷媒を減圧させる減圧機構と、冷媒を蒸発させる蒸発器を備えるヒートポンプと、熱媒の熱を利用して室内を暖房する暖房端末と、熱媒の熱を蓄えるタンクと、タンク内に蓄えられた熱を利用して温水を温水利用箇所に供給する供給手段と、暖房端末に供給される熱媒の流量とタンクに供給される熱媒の流量との割合を調整する調整手段と、を備える給湯暖房装置が開示されている。この給湯暖房装置は、ヒートポンプを駆動させるとともに、熱媒の熱を暖房端末とタンクの双方に供給することにより、タンクへの蓄熱と暖房端末による暖房とを同時に行う蓄熱暖房同時運転を実行する。
【先行技術文献】
【特許文献】
【０００３】
【特許文献１】特開２０１０−１９６９５０号公報
【発明の概要】
【発明が解決しようとする課題】
【０００４】
特許文献１の給湯暖房装置では、ヒートポンプの能力に応じて、蓄熱能力及び暖房能力が決定される。しかしながら、特許文献１の給湯暖房装置では、例えば厳寒期に蓄熱暖房同時運転を行う場合に、蓄熱能力及び暖房能力が不足する事態が発生するおそれがある。
【０００５】
本明細書では、蓄熱能力及び暖房能力が不足する事態が発生することを抑制することが可能な技術を提供する。
【課題を解決するための手段】
【０００６】
本明細書が開示する給湯暖房装置は、冷媒を加圧する圧縮機と、第１熱媒との熱交換によって冷媒を凝縮させる第１熱交換器と、第２熱媒との熱交換によって冷媒を凝縮させる第２熱交換器と、冷媒を減圧させる減圧機構と、冷媒を蒸発させる蒸発器を備えるヒートポンプと、第１熱媒の熱を利用して室内を暖房する暖房端末と、第１熱交換器と暖房端末との間で第１熱媒を循環させる暖房循環路と、暖房循環路内の第１熱媒を循環させる第１ポンプと、暖房循環路を循環する第１熱媒を加熱する熱源機と、暖房循環路のうち、第１熱交換器の上流側と下流側とを接続し、第１熱交換器をバイパスするバイパス路と、暖房循環路内の第１熱媒がバイパス路を流れる状態と、暖房循環路内の第１熱媒がバイパス路を流れない状態と、を切り替える切替手段と、熱を蓄えるタンクと、タンク内に蓄えられた熱を利用して温水を温水利用箇所に供給する供給手段と、第２熱交換器とタンクとの間で第２熱媒を循環させるタンク循環路と、タンク循環路内の第２熱媒を循環させる第２ポンプと、制御装置と、を備える。制御装置は、ヒートポンプを動作させ、第２ポンプを動作させることによってタンク内に熱を蓄える蓄熱運転と、第１ポンプを動作させて暖房端末によって室内を暖房する暖房運転とを同時に行う場合において、室内の温度が特定の閾値以上である第１の場合は、切替手段を暖房循環路内の第１熱媒がバイパス路を流れない状態にして、熱源機を動作させない第１の運転を実行し、室内の温度が特定の閾値より低い第２の場合は、切替手段を暖房循環路内の第１熱媒がバイパス路を流れる状態にして、熱源機を動作させる第２の運転を実行する。
【０００７】
上記の給湯暖房装置において、タンク内への蓄熱運転と暖房運転とを同時に行う場合に、室内の温度が特定の閾値より低い第２の場合は、室内の温度が特定の閾値以上である第１の場合に比べて、要求される暖房能力が高い。このような第２の場合に、ヒートポンプだけで蓄熱能力と暖房能力を賄うのであれば、蓄熱能力と暖房能力が不足する可能性がある。この点、上記の給湯暖房装置は、第２の場合に、第２の運転を実行する。第２の運転を実行することにより、暖房端末に供給される第１熱媒の熱を熱源機によって賄うことができ、タンク内にヒートポンプの全ての熱を供給することができる。特に、燃料を燃焼させるものを用いる場合、熱源機の加熱能力（即ち、単位時間当たりの加熱量）は、ヒートポンプの加熱能力よりも高い。そのため、ヒートポンプだけで蓄熱能力と暖房能力を賄わなければならない状況に比べて、十分な蓄熱能力及び暖房能力を確保しやすくなる。従って、上記の給湯暖房装置では、要求される暖房能力が第１の場合に比べて高い第２の場合において、必要な蓄熱能力及び暖房能力が不足する事態の発生を抑制することができる。
【図面の簡単な説明】
【０００８】
【図１】給湯暖房システム２の構成を模式的に示す図。
【図２】給湯暖房システム２における蓄熱単独運転の様子を模式的に示す図。
【図３】給湯暖房システム２における第１の暖房単独運転（即ち、室内温度が暖房設定温度以上である場合の暖房単独運転）の様子を模式的に示す図。
【図４】給湯暖房システム２における第２の暖房単独運転（即ち、室内温度が暖房設定温度より低い場合の暖房単独運転）の様子を模式的に示す図。
【図５】給湯暖房システム２における第１の蓄熱暖房同時運転（即ち、室内温度が暖房設定温度以上である場合の蓄熱暖房同時運転）の様子を模式的に示す図。
【図６】給湯暖房システム２における第２の蓄熱暖房同時運転（即ち、室内温度が暖房設定温度より低い場合の蓄熱暖房同時運転）の様子を模式的に示す図。
【図７】制御装置８が実行する蓄熱暖房制御処理を示すフローチャート。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  制御装置は、第１の運転を行う場合の第１ポンプの単位時間当たりの回転数を、第２の運転を行う場合の第１ポンプの単位時間当たりの回転数よりも少なくすることが好ましい。
【００１１】
上記の通り、第１の運転を行う場合である第１の場合は、要求される暖房能力が低い。そのため、第１の運転を行う場合の第１ポンプの単位時間当たりの回転数を少なくすることにより、第１熱交換器で第１熱媒に加えられる単位時間当たりの熱量（即ち、暖房端末による暖房能力）を少なくし、第２熱交換器で第２熱媒に加えられる単位時間当たりの熱量を多くすることができる。第１の運転を行う場合に、タンクへの蓄熱量を十分に確保することができる。また、第２の運転を行う第２の場合は、要求される暖房能力が高い。上記の通り、第２の運転を行う場合には、切替手段を暖房循環路内の第１熱媒がバイパス路を流れる状態にして、ヒートポンプと熱源機と第１ポンプと第２ポンプとを動作させる。即ち、冷媒の熱を第２熱媒にのみ与えることができる。そのため、第２の運転を行う場合にも、タンクへの蓄熱量を十分に確保することができる。
【００１２】
（特徴２）  制御装置は、蓄熱運転は行わず、ヒートポンプを動作させ、第１ポンプを動作させて暖房端末によって室内を暖房する暖房運転を単独で行う場合において、室内の温度が特定の閾値以上である第３の場合は、切替手段を暖房循環路内の第１熱媒がバイパス路を流れない状態にして、熱源機を動作させない第３の運転を実行し、室内の温度が特定の閾値より低い第４の場合は、切替手段を暖房循環路内の第１熱媒がバイパス路を流れない状態にして、熱源機を動作させる第４の運転を実行することが好ましい。
【００１３】
この構成によると、暖房運転を単独で行う場合において、室内の温度が特定の閾値より低い第４の場合は、室内の温度が特定の閾値以上である第３の場合に比べて、要求される暖房能力が高い。このような第４の場合に、ヒートポンプだけで暖房能力を賄うのであれば、暖房能力が不足する可能性がある。この点、上記の構成によると、給湯暖房装置は、第４の場合に第４の運転を実行する。第４の運転を実行することにより、第１暖房端末に供給される第１熱媒の熱をヒートポンプと熱源機の双方によって賄うことができる。即ち、ヒートポンプだけで暖房能力を賄わなければならない場合に比べて、十分な暖房能力を確保しやすくなる。従って、上記の給湯暖房装置では、要求される暖房能力が第３の場合に比べて高い第４の場合において、必要な暖房能力が不足する事態の発生を抑制することができる。
【００１４】
（特徴３）  ヒートポンプが、室内空気との熱交換によって冷媒を凝縮させる室内空気熱交換器と、室内空気熱交換器に供給される冷媒の流量と、第１熱交換器及び第２熱交換器に供給される冷媒の流量の割合を調整可能な調整手段と、をさらに備え、制御装置が、第１の場合及び第２の場合のように蓄熱運転と暖房運転を同時に行う場合における第１熱交換器及び第２熱交換器に供給される冷媒の流量の割合が、第３の場合及び第４の場合のように暖房運転を単独で行う場合における第１熱交換器及び第２熱交換器に供給される冷媒の流量の割合よりも多くなるように、調整手段を作動させることが好ましい。
【００１５】
上記の通り、第１の場合及び第２の場合は、室内を暖房するとともにタンク内の熱量を増やす場合である。上記の構成によると、そのような場合に、室内空気熱交換器へ供給する冷媒の流量に対し、第１熱交換器及び第２熱交換器により多い割合の流量の冷媒を供給することができる。すなわちタンク内の熱量を増やす必要のない第３の場合及び第４の場合に比べて、冷媒の熱をタンクにより多く供給することができる。従って、この構成によると、タンクへの蓄熱を適切に行いつつ、室内を適切に暖房することができる。
【００１６】
（実施例）
（システム構成；図１）
図１に示すように、本実施例の給湯暖房システム２は、ヒートポンプ空調装置４と、床暖房装置６と、給湯装置７と、制御装置８と、を備えている。
【００１７】
ヒートポンプ空調装置４は、冷媒（例えば、Ｒ３２やＲ４１０といったＨＦＣ冷媒や、Ｒ７４４といったＣＯ２冷媒等）を用いて、室外空気からの吸熱及び室内空気への放熱を行う。ヒートポンプ空調装置４は、圧縮機１２と、流量調整弁１４と、熱媒熱交換器１６と、第１膨張弁１８と、室外空気熱交換器２０と、第１ファン２２と、室内空気熱交換器２６と、第２ファン２８と、第２膨張弁３０と、冷媒循環路３２と、を備えている。
【００１８】
圧縮機１２は、気相状態の冷媒を圧縮して送り出す。流量調整弁１４は、３つのポートｅ、ｆ及びｇを備えており、圧縮機１２からポートｅに供給された気相状態の冷媒を、ポートｆとポートｇとに供給可能である。流量調整弁１４は、開度を調整することにより、ポートｅからポートｆに流れる冷媒（即ち熱媒熱交換器１６に供給される冷媒）の流量と、ポートｅからポートｇに流れる冷媒（即ち室内空気熱交換器２６に供給される冷媒）の流量との割合を調整することができる。熱媒熱交換器１６は、後述の第１熱媒循環路５０内を通過する熱媒と、冷媒循環路３２内を通過する冷媒との間で熱交換するとともに、後述の第２熱媒循環路６０内を通過する熱媒と、冷媒循環路３２内を通過する冷媒との間で熱交換する。第１膨張弁１８は、液相状態の冷媒を断熱膨張させて減圧する。室外空気熱交換器２０は、第１ファン２２によって送風される室外空気と、冷媒との間で熱交換をする。室外空気熱交換器２０及び第１ファン２２は、室外に配置されている。第１ファン２２の近傍には、外気温を検出する外気温サーミスタ４０が備えられている。
【００１９】
室内空気熱交換器２６は、第２ファン２８によって送風される室内空気と、冷媒との間で熱交換をする。室内空気熱交換器２６及び第２ファン２８は、室内であって、後述の暖房端末５６（即ち床暖房用の端末）よりも室内の高い位置に配置されている。第２ファン２８の近傍には、室内の温度を検出する室内温度サーミスタ４２が備えられている。第２膨張弁３０は、液相状態の冷媒を断熱膨張させて減圧する。
【００２０】
冷媒循環路３２は、冷媒を、圧縮機１２と、流量調整弁１４と、熱媒熱交換器１６と、第１膨張弁１８と、室外空気熱交換器２０と、室内空気熱交換器２６と、第２膨張弁と、の間で循環させる。
【００２１】
床暖房装置６は、熱媒（例えば、水、不凍液等）を用いて室内空気への放熱（いわゆる床暖房）を行う。床暖房装置６は、熱媒熱交換器１６と、第１熱媒循環路５０と、バーナ５２と、第１ポンプ５４と、暖房端末５６と、バイパス路５８と、切替弁７０と、を備えている。第１熱媒循環路５０は、熱媒を、熱媒熱交換器１６とバーナ５２と暖房端末５６との間で循環させる。バーナ５２は、ガス等の燃料を燃焼させることによって発生する燃焼熱を利用して、第１熱媒循環路５０を通過する熱媒を加熱する。バーナ５２は、第１熱媒循環路５０のうち、熱媒熱交換器１６より下流側であって、暖房端末５６より上流側の部分を通過する熱媒を加熱可能な位置に配置されている。第１ポンプ５４は、第１熱媒循環路５０内の熱媒を循環させる。暖房端末５６は、熱媒の熱を室内空気に放熱する。暖房端末５６は、室内の床に配置されている床暖房端末である。暖房端末５６は、第１熱媒循環路５０のうち熱媒熱交換器１６及びバーナ５２よりも下流側に備えられている。そのため、暖房端末５６には、熱媒熱交換器１６とバーナ５２で加熱された後の熱媒が供給される。熱媒熱交換器１６は、第１熱媒循環路５０のうち暖房端末５６よりも下流側の部分に備えられている。熱媒熱交換器１６には、暖房端末５６で放熱した後の低温の熱媒が供給される。バイパス路５８は、上流側端部が、第１熱媒循環路５０のうちの熱媒熱交換器１６の下流側とバーナ５２の上流側との間に接続され、下流側端部が、第１熱媒循環路５０のうちの暖房端末５６及び第１ポンプ５４の下流側と熱媒熱交換器１６の上流側との間に接続される。切替弁７０は、バイパス路５８の上流側端部と第１熱媒循環路５０との接続部分に介装されている。切替弁７０は、３つのポートｈ、ｉ及びｊを備えている。切替弁７０は、第１熱媒循環路５０内の熱媒が、熱媒熱交換器１６に供給され、かつ、バイパス路５８を通過しない状態（即ち、ポートｈとポートｉとが連通する状態）と、熱媒がバイパス路５８を通過し、かつ、熱媒熱交換器１６に供給されない状態（即ち、ポートｉとポートｊとが連通する状態）と、の間で切り替え可能である。
【００２２】
給湯装置７は、熱媒（例えば、水、不凍液等）の熱を用いてタンク６２内の水を加熱し、タンク６２に蓄えられた温水を温水供給箇所に供給する。給湯装置７は、第２熱媒循環路６０と、タンク６２と、タンクサーミスタ６３と、第２ポンプ６４と、温水供給管６６と、水導入管６８と、を備えている。第２熱媒循環路６０は、熱媒を、熱媒熱交換器１６とタンク６２との間で循環させる。タンク６２は、給湯装置７で使用される水を蓄える。タンク６２は密閉型であり、断熱材により外側が覆われている。タンク６２内には第２熱媒循環路６０が通されている。タンク６２内を通過する第２熱媒循環路６０内の熱媒とタンク６２内の水との間で熱交換が行われることにより、タンク６２内の水が加熱される。第２ポンプ６４は、第２熱媒循環路６０内の熱媒を循環させる。温水供給管６６は、上流端がタンク６２の上部に接続されている。温水供給管６６の下流端側は温水利用箇所に配置されている。温水供給管６６は、ユーザの操作（例えばカランを開く操作）に従って、タンク６２内の温水を温水利用箇所に供給する。水導入管６８の上流端は、図示しない上水道に接続されており、下流端は、タンク６２の下部に接続されている。温水供給管６６からタンク６２内の温水が温水利用箇所に供給されると、水導入管６８は、温水利用箇所に供給された温水の量と同じ量の水を上水道からタンク６２内に導入する。そのため、タンク６２内には常時満水まで水が蓄えられる。タンクサーミスタ６３は、タンク６２内の水の温度を検出する。
【００２３】
制御装置８は、ＣＰＵ、ＲＯＭ、ＲＡＭ等を備えている。ＲＯＭには各種の運転プログラムが格納されている。ＲＡＭには、制御装置８に入力される各種信号や、ＣＰＵが処理を実行する過程で生成される種々のデータが一時的に記憶される。制御装置８では、ＣＰＵがＲＯＭやＲＡＭに記憶された情報に基づいて、ヒートポンプ空調装置４、床暖房装置６、及び、給湯装置７の各構成要素の動作を制御する。また、制御装置８には、図示しないリモコンが接続されている。リモコンには、ユーザが給湯暖房システム２を操作するためのスイッチ、ユーザに給湯暖房システム２の動作状態を表示する液晶表示器等が設けられている。ユーザは、リモコンを介して、暖房の開始及び終了等を指示することができる。また、ユーザは、リモコンを介して、暖房設定温度を設定することもできる。
【００２４】
（給湯暖房システム２の動作）
次いで、給湯暖房システム２の動作について説明する。給湯暖房システム２は、給湯運転、蓄熱単独運転、暖房単独運転（即ち、第１の暖房単独運転、第２の暖房単独運転）、及び、蓄熱暖房同時運転（即ち、第１の蓄熱暖房同時運転、第２の蓄熱暖房同時運転）を実行可能である。
【００２５】
（給湯運転）
ユーザによって台所や浴室のカランが開かれた場合や、浴槽への湯張りを行う場合に、給湯暖房システム２は給湯運転を開始する。浴槽への湯張りは、例えばユーザがリモコンの湯張り開始スイッチを押すことで開始することもあるし、ユーザがリモコンに設定した湯張り完了時刻に基づく湯張り開始時刻が到来することで開始することもある。給湯運転は、後述する蓄熱単独運転、暖房単独運転、蓄熱暖房同時運転と並行して行うことも可能である。給湯運転では、給湯暖房システム２は、タンク６２内の温水を、温水供給管６６を介して温水利用箇所に供給する。
【００２６】
（蓄熱単独運転；図２）
ユーザから暖房が指示されておらず、かつ、タンク６２への蓄熱要求が発生した場合に、給湯暖房システム２は蓄熱単独運転を行う。蓄熱要求は、例えば給湯運転を行った結果、タンク６２内の蓄熱量が少なくなった場合に発生する。具体的に言うと、蓄熱要求は、タンクサーミスタ６３が検出する温度が、所定の蓄熱開始温度より低くなった場合に発生する。蓄熱単独運転では、タンク６２内の水を所定の蓄熱終了温度まで沸かし上げて、タンク６２に蓄熱する。図２に示すように、蓄熱単独運転では、制御装置８は、流量調整弁１４を、ポートｅに供給された冷媒の全流量がポートｆに供給され、ポートｇには冷媒が供給されないように調整する（即ち、ポートｅとポートｆが連通し、ポートｅとポートｇが連通しない）。また、制御装置８は、第１ファン２２を駆動するとともに、圧縮機１２を駆動する。さらに、制御装置８は、第２ポンプ６４を駆動する。
【００２７】
圧縮機１２で加圧されて高温高圧となった気相状態の冷媒は、流量調整弁１４（ポートｆ）を介して、熱媒熱交換器１６へ送られる。高温高圧の気相状態の冷媒は、熱媒熱交換器１６での第２熱媒循環路６０内の熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、室外空気熱交換器２０へ送られる。低温低圧の液相状態の冷媒は、室外空気熱交換器２０での室外空気との熱交換によって加熱されて蒸発し、気相状態となる。気相状態となった冷媒は、圧縮機１２に戻される。
【００２８】
また、第２ポンプ６４が駆動することによって、第２熱媒循環路６０内で熱媒が循環する。熱媒熱交換器１６での高温高圧の冷媒との熱交換によって加熱された高温の熱媒は、タンク６２内を通過する。高温の熱媒は、タンク６２内を通過する間に、タンク６２内の水と熱交換を行うことによって冷却される。この結果、タンク６２内の水が熱媒の熱によって加熱される。タンク６２を通過した後の低温の熱媒は、熱媒熱交換器１６に供給され、冷媒との熱交換によって再度加熱される。
【００２９】
給湯暖房システム２は、上記のようなサイクルで冷媒及び熱媒を循環させることにより、タンク６２内の温水を加熱することができる。制御装置８は、上記の蓄熱単独運転を開始した後、タンクサーミスタ６３が検出する温度が所定の蓄熱終了温度に到達すると、蓄熱単独運転を終了する。
【００３０】
（暖房単独運転）
ユーザから暖房が指示されており、タンク６２への蓄熱要求が発生していない場合に、給湯暖房システム２は暖房単独運転を行う。このとき、給湯暖房システム２は、室内温度サーミスタ４２が検出する室内温度が、リモコンで設定されている暖房設定温度Ｔｓ以上であるか、室内温度が暖房設定温度Ｔｓより低いか、に応じて、異なる内容の暖房単独運転を行う。以下、二つの暖房単独運転（第１の暖房単独運転、第２の暖房単独運転）の内容について説明する。
【００３１】
（第１の暖房単独運転；図３）
給湯暖房システム２が暖房単独運転を実行する場合に、室内温度サーミスタ４２が検出する室内温度が暖房設定温度Ｔｓ以上である場合、給湯暖房システム２は、第１の暖房単独運転を実行する。室内温度が暖房設定温度Ｔｓ以上である場合には、室内温度が暖房設定温度Ｔｓより低い場合に比べ、要求される暖房能力が低い。図３に示すように、第１の暖房単独運転では、制御装置８は、流量調整弁１４を、ポートｅに供給された冷媒の一部がポートｇに供給され、他の一部がポートｆに供給されるように開度を調整する（即ち、ポートｅとポートｆ、ポートｅとポートｇがそれぞれ連通する）。この際、制御装置８は、ポートｆに供給される冷媒の流量と、ポートｇに供給される冷媒の流量とがほぼ等しくなるように、流量調整弁１４の開度を調整する（即ち、ｆ＝ｇ）。また、制御装置８は、第１ファン２２及び第２ファン２８を駆動するとともに、圧縮機１２を駆動する。この際、制御装置８は、圧縮機１２の単位時間当たりの回転数を比較的少ない回転数Ｒ１に設定する。さらに、制御装置８は、切替弁７０を、第１熱媒循環路５０内の熱媒が、熱媒熱交換器１６に供給され、バイパス路５８を通過しない状態（即ち、ポートｈとポートｉとが連通する状態）に切り替える。さらに、制御装置８は、第１ポンプ５４を駆動させる。この際、制御装置８は、第１ポンプ５４の単位時間当たりの回転数を比較的多いＲ３に設定する。なお、第１の暖房単独運転では、制御装置８はバーナ５２を駆動させない。
【００３２】
圧縮機１２で加圧されて高温高圧となった気相状態の冷媒の一部は、流量調整弁１４（ポートｇ）を介して、室内空気熱交換器２６へ送られる。高温高圧の気相状態の冷媒は、室内空気熱交換器２６での室内空気との熱交換によって冷却されて凝縮し、液相状態となる。室内空気熱交換器２６で液相状態となった冷媒は第２膨張弁３０へ送られる。第２膨張弁３０で減圧されて低温低圧となった液相状態の冷媒は、第１膨張弁１８から送られる低温低圧の液相状態の冷媒と合流し、室外空気熱交換器２０へ送られる。低温低圧の液相状態の冷媒は、室外空気熱交換器２０での室外空気との熱交換によって加熱されて蒸発し、気相状態となる。気相状態となった冷媒は、圧縮機１２に戻される。
【００３３】
一方、圧縮機１２で加圧されて高温高圧となった気相状態の冷媒の他の一部は、流量調整弁１４（ポートｆ）を介して、熱媒熱交換器１６へ送られる。高温高圧の気相状態の冷媒は、熱媒熱交換器１６での熱媒との熱交換によって冷却されて凝縮し、液相状態となる。熱媒熱交換器１６で液相状態となった冷媒は第１膨張弁１８へ送られる。第１膨張弁１８で減圧されて低温低圧となった液相状態の冷媒は、第２膨張弁３０から送られた低温低圧の液相状態の冷媒と合流し、室外空気熱交換器２０へ送られる。その後の冷媒の流れは上記の通りであるため、詳しい説明を省略する。
【００３４】
また、第１ポンプ５４が駆動することによって、第１熱媒循環路５０内で熱媒が循環する。熱媒熱交換器１６での高温高圧の冷媒との熱交換によって加熱された高温の熱媒は、切替弁７０を介して暖房端末５６に送られる。高温の熱媒は、暖房端末５６で室内に熱を放熱することによって冷却される。暖房端末５６を通過した後の低温の熱媒は、第１ポンプ５４を介して熱媒熱交換器１６に供給され、冷媒との熱交換によって再度加熱される。
【００３５】
第１の暖房単独運転では、給湯暖房システム２は、上記のようなサイクルで冷媒及び熱媒を循環させることにより、室内空気熱交換器２６及び暖房端末５６の両方で室内空気に放熱し、室内を暖房することができる。
【００３６】
（第２の暖房単独運転；図４）
給湯暖房システム２が暖房単独運転を実行する場合に、室内温度サーミスタ４２が検出する室内温度が暖房設定温度Ｔｓより低い場合、給湯暖房システム２は、第２の暖房単独運転を実行する。室内温度が暖房設定温度Ｔｓより低い場合には、室内温度が暖房設定温度Ｔｓ以上である場合に比べ、要求される暖房能力が高い。図４に示すように、第２の暖房単独運転でも、制御装置８は、流量調整弁１４及び切替弁７０を、第１の暖房単独運運転の場合と同様の開度に調整する。さらに、制御装置８は、第１の暖房単独運転の場合と同様の条件で、第１ファン２２、第２ファン２８、及び、第１ポンプ５４（回転数Ｒ３）を駆動させる。また、第２の暖房単独運転では、制御装置８は、圧縮機１２の単位時間当たりの回転数を、上記のＲ１より多いＲ２に設定し、圧縮機１２を駆動させる。さらに、第２の暖房単独運転では、制御装置８は、バーナ５２を駆動させる。
【００３７】
第２の暖房単独運転における冷媒及び熱媒の循環サイクルは、上記の第１の暖房単独運転における冷媒及び熱媒の循環サイクルと基本的に同様である。ただし、第２の暖房単独運転では、バーナ５２が駆動することにより、熱媒熱交換器１６での高温高圧の冷媒との熱交換によって加熱された高温の熱媒が、バーナ５２における燃料の燃焼熱によってさらに加熱され、さらに高温の熱媒となる。即ち、第２の暖房単独運転では、熱媒熱交換器１６とバーナ５２の双方で加熱された高温の熱媒が暖房端末５６に供給される。また、圧縮機１２の単位時間当たりの回転数Ｒ２が、第１の暖房単独運転時の圧縮機１２の単位時間当たりの回転数Ｒ１より多いため、圧縮機１２で圧縮された後の高温高圧の冷媒の温度も、第１の暖房単独運転の場合と比べて高くなる。そのため、第１の暖房単独運転時に比べて、室内空気熱交換器２６及び暖房端末５６による暖房能力が高くなる。
【００３８】
（蓄熱暖房同時運転）
ユーザから暖房が指示されており、かつ、タンク６２への蓄熱要求が発生した場合に、給湯暖房システム２は蓄熱暖房同時運転を行う。このとき、給湯暖房システム２は、室内温度サーミスタ４２が検出する室内温度が、リモコンで設定されている暖房設定温度Ｔｓ以上であるか、室内温度が暖房設定温度Ｔｓより低いか、に応じて、異なる内容の蓄熱暖房同時運転を行う。以下、以下、二つの蓄熱暖房同時運転（第１の蓄熱暖房同時運転、第２の蓄熱暖房同時運転）の内容について説明する。
【００３９】
（第１の蓄熱暖房同時運転；図５）
給湯暖房システム２が蓄熱暖房同時運転を実行する場合に、室内温度サーミスタ４２が検出する室内温度が暖房設定温度Ｔｓ以上である場合、給湯暖房システム２は、第１の蓄熱暖房同時運転を実行する。室内温度が暖房設定温度Ｔｓ以上である場合には、室内温度が暖房設定温度Ｔｓより低い場合に比べ、要求される蓄熱能力及び暖房能力が低い。図５に示すように、第１の蓄熱暖房同時運転では、制御装置８は、流量調整弁１４を、ポートｅに供給された冷媒の一部がポートｇに供給され、他の一部がポートｆに供給されるように開度を調整する（即ち、ポートｅとポートｆ、ポートｅとポートｇがそれぞれ連通する）。この際、制御装置８は、ポートｆに供給される冷媒の流量が、ポートｇに供給される冷媒の流量よりも大きくなるように、流量調整弁１４の開度を調整する（即ち、ｆ＞ｇ）。また、制御装置８は、第１ファン２２及び第２ファン２８を駆動するとともに、圧縮機１２を駆動する。この際、制御装置８は、圧縮機１２の単位時間当たりの回転数を、上記のＲ１より多いＲ２に設定する。さらに、制御装置８は、切替弁７０を、第１熱媒循環路５０内の熱媒が、熱媒熱交換器１６に供給され、バイパス路５８を通過しない状態（即ち、ポートｈとポートｉとが連通する状態）に切り替える。さらに、制御装置８は、第１ポンプ５４及び第２ポンプ６４を駆動させる。この際、制御装置８は、第１ポンプ５４の単位時間当たりの回転数を、上記のＲ３より少ないＲ４に設定する。また、第２ポンプ６４の単位時間当たりの回転数を所定値に設定する。なお、第１の蓄熱暖房同時運転では、制御装置８はバーナ５２を駆動させない。
【００４０】
圧縮機１２が駆動することによる冷媒の動きは、上記の第１及び第２の暖房単独運転（図３、図４参照）の場合と同様であるため、詳しい説明は省略する。なお、第１の蓄熱暖房同時運転でも、圧縮機１２の単位時間当たりの回転数Ｒ２が、第１の暖房単独運転時の場合（Ｒ１）より多いため、圧縮機１２で圧縮された高温高圧の冷媒の温度も、第１の暖房単独運転時よりも高くなる。また、第１の蓄熱暖房同時運転では、ポートｆに供給される冷媒の流量が、ポートｇに供給される冷媒の流量よりも大きくなるように流量調整弁１４の開度が調整されている（ｆ＞ｇ）。そのため、より多くの高温高圧の冷媒が熱媒熱交換器１６に供給される。その結果、熱媒熱交換器１６において、高温高圧の冷媒は、第２熱媒循環路６０内の熱媒との間でより多く熱交換を行うことができる。
【００４１】
第１ポンプ５４が駆動することによる熱媒の動きも、上記の第１及び第２の暖房単独運転（図３、図４参照）の場合と同様であるため、詳しい説明は省略する。ただし、第１の蓄熱暖房同時運転では、第１ポンプ５４の単位時間当たりの回転数Ｒ４が、第１及び第２の暖房単独運転の場合（Ｒ３）より少ない。そのため、熱媒熱交換器１６において、冷媒から第１熱媒循環路５０内の熱媒に加えられる単位時間当たりの加熱量は、第１及び第２の暖房単独運転時に比べて小さくなる。これにより、熱媒熱交換器１６において、冷媒から第２熱媒循環路６０内の熱媒により多くの熱が加えられるようになる。
【００４２】
第２ポンプ６４が駆動することによる熱媒の動きは、上記の蓄熱単独運転（図２）の場合と同様であるため、詳しい説明は省略する。
【００４３】
第１の蓄熱暖房同時運転では、給湯暖房システム２は、上記のようなサイクルで冷媒及び熱媒を循環させることにより、室内空気熱交換器２６及び暖房端末５６の両方で室内空気に放熱し、室内を暖房することができるとともに、タンク６２内に温水を蓄えることができる。制御装置８は、第１の蓄熱暖房同時運転を開始した後、タンクサーミスタ６３が検出する温度が所定の蓄熱終了温度に到達すると、第１の蓄熱暖房同時運転を終了する。この時点で、引き続き暖房運転指示が行われている場合（ユーザによって暖房の終了が指示されていない場合）には、制御装置８は、第１の蓄熱暖房同時運転の終了後、引き続いて第１の暖房単独運転を実行する。
【００４４】
（第２の蓄熱暖房同時運転；図６）
給湯暖房システム２が蓄熱暖房同時運転を実行する場合に、室内温度サーミスタ４２が検出する室内温度が暖房設定温度Ｔｓより低い場合、給湯暖房システム２は、第２の蓄熱暖房同時運転を実行する。室内温度が暖房設定温度Ｔｓより低い場合には、室内温度が暖房設定温度Ｔｓ以上である場合に比べ、要求される蓄熱能力及び暖房能力が高い。図６に示すように、第２の蓄熱暖房同時運転でも、ポートｆに供給される冷媒の流量が、ポートｇに供給される冷媒の流量よりも大きくなるように、流量調整弁１４の開度を調整する（即ち、ｆ＞ｇ）。また、制御装置８は、第１ファン２２及び第２ファン２８を駆動するとともに、圧縮機１２を駆動する。第２の蓄熱暖房同時運転でも、制御装置８は、圧縮機１２の単位時間当たりの回転数を、上記のＲ１より多いＲ２に設定する。さらに、制御装置８は、切替弁７０を、第１熱媒循環路５０内の熱媒が、バイパス路５８を通過し、熱媒熱交換器１６に供給されない状態（即ち、ポートｉとポートｊとが連通する状態）に切り替える。さらに、制御装置８は、第１ポンプ５４及び第２ポンプ６４を駆動させる。制御装置８は、第１ポンプ５４の単位時間当たりの回転数を、第１の蓄熱暖房同時運転時（Ｒ４）より多いＲ３に設定する。また、第２ポンプ６４の単位時間当たりの回転数を所定値に設定する。さらに、第２の蓄熱暖房同時運転では、制御装置８はバーナ５２を駆動させる。
【００４５】
圧縮機１２が駆動することによる冷媒の動きは、上記の第１の蓄熱暖房同時運転（図５参照）の場合と同様であるため、詳しい説明は省略する。なお、第２の蓄熱暖房同時運転でも、圧縮機１２の単位時間当たりの回転数Ｒ２が、第１の暖房単独運転の場合（Ｒ１）より多いため、圧縮機１２で圧縮された高温高圧の冷媒の温度も、第１の暖房単独運転時よりも高くなる。また、第２の蓄熱暖房同時運転時にも、ポートｆに供給される冷媒の流量が、ポートｇに供給される冷媒の流量よりも大きくなるように流量調整弁１４の開度が調整されている（ｆ＞ｇ）。そのため、より多くの高温高圧の冷媒が熱媒熱交換器１６に供給される。その結果、熱媒熱交換器１６において、高温高圧の冷媒は、第１熱媒循環路５０内の熱媒及び第２熱媒循環路６０内の熱媒との間でより多く熱交換を行うことができる。
【００４６】
第１ポンプ５４が駆動することにより、第１熱媒循環路５０内の熱媒は、熱媒熱交換器１６に供給されることなく、バイパス路５８を通過し、バーナ５２と暖房端末５６との間で循環する。ただし、第２の蓄熱暖房同時運転では、バーナ５２が駆動することにより、上記の経路で循環する熱媒が、バーナ５２における燃料の燃焼熱によって十分に加熱され、高温の熱媒となる。第２の蓄熱暖房同時運転では、バーナ５２で加熱された高温の熱媒が暖房端末５６に供給される。バーナ５２の燃焼熱は、熱媒熱交換器１６を通過する冷媒に比べて加熱能力が高い（即ち、単位時間当たりの加熱量が大きい）。そのため、第１の蓄熱暖房同時運転時に比べて、暖房端末５６による暖房能力が高くなる。
【００４７】
第２ポンプ６４が駆動することによる熱媒の動きは、上記の蓄熱単独運転（図２）の場合と同様であるため、詳しい説明は省略する。ただし、第２の蓄熱暖房同時運転では、第１熱媒循環路５０内の熱媒が熱媒熱交換器１６に供給されないため、熱媒熱交換器１６では、全ての冷媒の熱が、第２熱媒循環路６０内の熱媒に加えられることになる。そのため、第１の蓄熱暖房同時運転時に比べて、蓄熱能力も高くなる。
【００４８】
第２の蓄熱暖房同時運転では、給湯暖房システム２は、上記のようなサイクルで冷媒及び熱媒を循環させることにより、室内空気熱交換器２６及び暖房端末５６の両方で室内空気に放熱し、室内を暖房することができるとともに、タンク６２内に温水を蓄えることができる。制御装置８は、第２の蓄熱暖房同時運転を開始した後、タンクサーミスタ６３が検出する温度が所定の蓄熱終了温度に到達すると、第２の蓄熱暖房同時運転を終了する。この時点で、引き続き暖房運転指示が行われている場合（ユーザによって暖房の終了が指示されていない場合）には、制御装置８は、第２の蓄熱暖房同時運転の終了後、引き続いて第２の暖房単独運転を実行する。
【００４９】
（蓄熱暖房制御処理；図７）
ユーザによって暖房が指示された際に、図３〜図６を用いて説明した各暖房単独運転及び蓄熱暖房同時運転のうちのいずれが実行されるのかは、制御装置８が実行する蓄熱暖房制御処理（図７）によって決められる。以下、制御装置８が実行する蓄熱暖房制御処理の内容について説明する。
【００５０】
ユーザによって暖房が指示されると、制御装置８は、図７の蓄熱暖房制御処理を開始する。蓄熱暖房制御処理が開始されると、Ｓ１０では、制御装置８は、室内温度サーミスタ４２が検出する室内温度が暖房設定温度Ｔｓ以上であるか否かを判断する。
【００５１】
室内温度が暖房設定温度Ｔｓ以上である場合、制御装置８は、Ｓ１０でＹＥＳと判断し、Ｓ１２に進む。本実施例において、Ｓ１０でＹＥＳの場合とは、室内温度がユーザによって要求されている暖房設定温度に到達しており、高い暖房能力が必要とされない場合である。一方、室内温度が暖房設定温度Ｔｓより低い場合、制御装置８は、Ｓ１０でＮＯと判断し、Ｓ２２に進む。本実施例において、Ｓ１０でＮＯの場合とは、室内温度がユーザによって要求されている暖房設定温度に到達しておらず、高い暖房能力が必要とされる場合である。
【００５２】
Ｓ１２では、制御装置８は、タンクサーミスタ６３が検出するタンク６２内の水の温度（以下ではタンク温度と呼ぶ場合がある）が、所定の蓄熱開始温度より低いか否かを判断する。
【００５３】
Ｓ１２の時点でタンク温度が蓄熱開始温度より低い場合、制御装置８は、Ｓ１２でＹＥＳと判断し、Ｓ１６に進む。Ｓ１２でＹＥＳの場合とは、タンク６２への蓄熱要求が発生している場合である。この場合、Ｓ１６において、制御装置８は、第１の蓄熱暖房同時運転（図５参照）を実行する。Ｓ１６の時点で既に第１の蓄熱暖房同時運転が行われている場合には、第１の蓄熱暖房同時運転を継続する。第１の蓄熱暖房同時運転の内容は、図５を参照して上述した通りであるため、詳しい説明を省略する。Ｓ１６で第１の蓄熱暖房同時運転を開始すると、制御装置８は、Ｓ１０に戻る。
【００５４】
Ｓ１２の時点でタンク温度が蓄熱開始温度以上である場合、制御装置８は、Ｓ１２でＮＯと判断し、Ｓ１４に進む。Ｓ１４では、制御装置８は、タンク温度が、所定の蓄熱終了温度以上であるか否かを判断する。
【００５５】
Ｓ１４の時点でタンク温度が蓄熱終了温度より低い場合、制御装置８は、Ｓ１４でＮＯと判断し、Ｓ１６に進む。Ｓ１４でＮＯの場合とは、Ｓ１４の時点でタンク温度が蓄熱終了温度に到達していない場合（即ち、沸き上げが完了していない場合）である。この場合、制御装置８は、Ｓ１６において、制御装置８は、第１の蓄熱暖房同時運転（図５参照）を実行する。Ｓ１６の時点で既に第１の蓄熱暖房同時運転が行われている場合には、第１の蓄熱暖房同時運転を継続する。その後、制御装置８はＳ１０に戻る。
【００５６】
一方、Ｓ１４の時点でタンク温度が蓄熱開始温度以上である場合（即ち、既に沸き上げが完了しており、蓄熱要求が発生していない場合）、制御装置８は、Ｓ１４でＹＥＳと判断し、Ｓ１８に進む。Ｓ１８では、制御装置８は、第１の暖房単独運転（図３参照）を実行する。Ｓ１８の時点で既に第１の暖房単独運転が行われている場合には、第１の暖房単独運転を継続する。第１の暖房単独運転の内容は、図３を参照して上述した通りであるため、詳しい説明を省略する。Ｓ１８で第１の暖房単独運転を開始すると、制御装置８は、Ｓ１０に戻る。
【００５７】
また、Ｓ２２では、制御装置８は、上記のＳ１２の判断と同様の判断を行う。Ｓ２２でＹＥＳの場合、制御装置８は、Ｓ２６に進み、第２の蓄熱暖房同時運転（図６参照）を実行する。Ｓ２６の時点で既に第２の蓄熱暖房同時運転が行われている場合には、第２の蓄熱暖房同時運転を継続する。第２の蓄熱暖房同時運転の内容は、図６を参照して上述した通りであるため、詳しい説明を省略する。Ｓ２６で第２の蓄熱暖房同時運転を開始すると、制御装置８は、Ｓ１０に戻る。
【００５８】
一方、Ｓ２２でＮＯの場合、Ｓ２４に進み、制御装置８は、上記のＳ１４の判断と同様の判断を行う。Ｓ２４でＮＯの場合、制御装置８は、Ｓ２６に進み、第２の蓄熱暖房同時運転（図６参照）を実行する。制御装置８は、Ｓ２６で第２の蓄熱暖房同時運転を開始すると、Ｓ１０に戻る。一方、Ｓ２４でＹＥＳの場合、制御装置８は、Ｓ２８に進み、第２の暖房単独運転を実行する。制御装置８は、Ｓ２８で第２の暖房単独運転を開始すると、Ｓ１０に戻る。
【００５９】
制御装置８は、ユーザから暖房の停止が指示されるまで、上記の蓄熱暖房制御処理（Ｓ１０〜Ｓ２８）を繰り返し実行する。ユーザから暖房の停止が指示されると、制御装置８は、蓄熱暖房制御処理を終了する。
【００６０】
以上、本実施例の給湯暖房システム２の構成及び運転内容について説明した。本実施例の給湯暖房システム２は、蓄熱暖房同時運転を実行すべき場合において、室内温度サーミスタ４２が検出する室内温度が暖房設定温度Ｔｓより低い場合（図７のＳ１０でＮＯ、Ｓ２２でＹＥＳ）に、第２の蓄熱暖房同時運転（図６参照）を実行する。第２の蓄熱暖房同時運転が実行されるべき場合は、第１の蓄熱暖房同時運転が実行されるべき場合（図７のＳ１０でＹＥＳ、Ｓ１２でＹＥＳ）に比べて、要求される暖房能力が高い。本実施例の給湯暖房システム２は、このような場合に第２の蓄熱暖房同時運転を実行することにより、暖房端末５６に供給される熱媒の熱をバーナ５２の燃焼熱で賄うことができ、タンク６２内の水の加熱のための熱を、熱媒熱交換器１６において冷媒から加えられる熱によって賄うことができる。一般に、燃料を燃焼させるバーナ５２の加熱能力（即ち、単位時間当たりの加熱量）は、熱媒熱交換器１６における冷媒との熱交換による加熱能力よりも高い。そのため、圧縮機１２の能力だけで蓄熱能力と暖房能力を賄わなければならない状況に比べて、十分な蓄熱能力及び暖房能力を確保しやすくなる。従って、本実施例の給湯暖房システム２では、蓄熱暖房同時運転を実行すべき場合において、要求される暖房能力が高い場合に、必要な蓄熱能力及び暖房能力が不足する事態の発生を抑制することができる。
【００６１】
また、上記実施例では、第１の蓄熱暖房同時運転（図５参照）を行う場合の第１ポンプ５４の単位時間当たりの回転数Ｒ４は、第２の蓄熱暖房同時運転（図６参照）を行う場合の第１ポンプ５４の単位時間当たりの回転数Ｒ３よりも少ない（Ｒ４＜Ｒ３）。これによって、高い暖房能力が要求されない第１の蓄熱暖房同時運転を行う場合に、熱媒熱交換器１６において、冷媒から第２熱媒循環路６０内の熱媒により多くの熱が加えられるようになる。そのため、タンク６２への蓄熱を適切に行うこともできる。
【００６２】
また、本実施例の給湯暖房システム２は、暖房単独運転を実行すべき場合において、室内温度サーミスタ４２が検出する室内温度が暖房設定温度Ｔｓより低い場合（図７のＳ１０でＮＯ、Ｓ２２でＮＯ、及びＳ２４でＹＥＳ）に、第２の暖房単独運転（図４参照）を実行する。第２の暖房単独運転が実行されるべき場合は、第１の暖房単独運転が実行されるべき場合（図７のＳ１０でＹＥＳ、Ｓ１２でＮＯ、及びＳ１４でＹＥＳ）に比べて、要求される暖房能力が高い。本実施例の給湯暖房システム２は、このような場合に第２の暖房単独運転を実行することにより、暖房端末５６に供給される熱媒の熱をバーナ５２の燃焼熱と、熱媒熱交換器１６において冷媒から加えられる熱と、の両方によって賄うことができる。即ち、冷媒から加えられる熱だけで暖房能力を賄わなければならない場合に比べて、十分な暖房能力を確保しやすくなる。従って、本実施例の給湯暖房システム２では、暖房単独運転を実行すべき場合において、要求される暖房能力が高い場合に、必要な暖房能力が不足する事態の発生を抑制することができる。
【００６３】
また、本実施例の給湯暖房システム２は、暖房運転時に、暖房端末５６による暖房（床暖房）に加えて、室内空気熱交換器２６による暖房（空気暖房）を併せて行うことができる（図３〜図６参照）。本実施例の給湯暖房システム２によると、床暖房と空気暖房を併用することにより、室内をより快適に暖房することができる。
【００６４】
また、本実施例の給湯暖房システム２では、蓄熱暖房同時運転を行う場合に、ポートｆに供給される冷媒の流量が、ポートｇに供給される冷媒の流量よりも大きくなるように、流量調整弁１４の開度を調整する（即ち、ｆ＞ｇ。図５、図６参照）。これにより、本実施例の給湯暖房システム２では、蓄熱暖房同時運転を行う場合に、圧縮機１２で圧縮された後の高温高圧の冷媒を、熱媒熱交換器１６により多く供給することができる。暖房単独運転を行う場合に比べて、冷媒の熱をタンク６２により多く供給することができる。従って、この構成によると、蓄熱暖房同時運転を行う場合に、タンク６２内の熱量を適切に増やしつつ、室内を適切に暖房することができる。
【００６５】
ここで、実施例の記載と請求項の記載との対応関係を説明しておく。給湯暖房システム２が「ヒートポンプシステム」の一例である。ヒートポンプ空調装置４が「ヒートポンプ」の一例である。熱媒熱交換器１６が「第１熱交換器」及び「第２熱交換器」の一例である。第１膨張弁１８及び第２膨張弁３０が「減圧機構」の一例である。室外空気熱交換器２０が「蒸発器」の一例である。暖房端末５６が「暖房端末」の一例である。第１熱媒循環路５０、及びその内部を循環する熱媒が、それぞれ、「暖房循環路」、「第１熱媒」の一例である。第２熱媒循環路６０、及びその内部を循環する熱媒が、それぞれ、「タンク循環路」、「第２熱媒」の一例である。バーナ５２が「熱源機」の一例である。切替弁７０が「切替手段」の一例である。温水供給管６６が「供給手段」の一例である。流量調整弁１４が「調整手段」の一例である。図７のＳ１０でＹＥＳ、Ｓ１２でＹＥＳの場合が「第１の場合」の一例であり、第１の蓄熱暖房同時運転（図５）が「第１の運転」の一例である。図７のＳ１０でＮＯ、Ｓ２２でＹＥＳの場合が「第２の場合」の一例であり、第２の蓄熱暖房同時運転（図６）が「第２の運転」の一例である。図７のＳ１０でＹＥＳ、Ｓ１２でＮＯ及びＳ１４でＹＥＳの場合が「第３の場合」の一例であり、第１の暖房単独運転（図３）が「第３の運転」の一例である。図７のＳ１０でＮＯ、Ｓ２２でＮＯ及びＳ２４でＹＥＳの場合が「第４の場合」の一例であり、第２の暖房単独運転（図４）が「第４の運転」の一例である。
【００６６】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００６７】
（変形例１）上記の実施例では、給湯装置７の第２熱媒循環路６０は、タンク６２内及び熱媒熱交換器１６を通過し、熱媒を循環させる。これに限られず、第２熱媒循環路６０は、タンク６２内の水を直接導出して熱媒熱交換器１６に送り出し、熱媒熱交換器１６において冷媒との間で熱交換を行わせ、冷媒との熱交換によって加熱された温水をタンク６２に戻すようにしてもよい。
【００６８】
（変形例２）上記の実施例では、熱媒熱交換器１６は、第１熱媒循環路５０内を通過する熱媒と、冷媒循環路３２内を通過する冷媒との間で熱交換するとともに、第２熱媒循環路６０内を通過する熱媒と、冷媒循環路３２内を通過する冷媒との間で熱交換する。これに限られず、第１熱媒循環路５０内を通過する熱媒と、冷媒循環路３２内を通過する冷媒との間で熱交換するための熱交換器と、第２熱媒循環路６０内を通過する熱媒と、冷媒循環路３２内を通過する冷媒との間で熱交換するための熱交換器と、が別個に設けられていてもよい。
【００６９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７０】
２：給湯暖房システム
４：ヒートポンプ空調装置
６：床暖房装置
７：給湯装置
８：制御装置
１２：圧縮機
１４：流量調整弁
１６：熱媒熱交換器
１８：第１膨張弁
２０：室外空気熱交換器
２２：第１ファン
２６：室内空気熱交換器
２８：第２ファン
３０：第２膨張弁
３２：冷媒循環路
４０：外気温サーミスタ
４２：室内温度サーミスタ
５０：第１熱媒循環路
５２：バーナ
５４：第１ポンプ
５６：暖房端末
５８：バイパス路
６０：第２熱媒循環路
６２：タンク
６３：タンクサーミスタ
６４：第２ポンプ
６６：温水供給管
６８：水導入管
７０：切替弁
【図１】
0006326344.tif 000002
【図２】
0006326344.tif 000003
【図３】
0006326344.tif 000004
【図４】
0006326344.tif 000005
【図５】
0006326344.tif 000006
【図６】
0006326344.tif 000007
【図７】
0006326344.tif 000008